(57)【要約】【課題】煩雑な操作を行うことなく印刷方法および印刷手順を知ることが可能な画像形成装置を提供する。【解決手段】この画像形成装置（プリンタ１０）は、画像データを用紙に印刷する印字ヘッド１８と、画像データを印字ヘッド１８により印刷する以前に、３種類の印刷方法を自発的に表示するとともに、３種類の印刷方法の中からユーザにより選択された印刷方法に対応する印刷手順を表示可能なように構成された表示画面部１３とを備える。【選択図】図１
2008105331.tif 000002
【特許請求の範囲】
【請求項１】
画像データを用紙に印刷する印画部を備えた画像形成装置において、
画像データを前記印画部により印刷する以前に、異なる複数種類の印刷方法を自発的に表示するとともに、前記異なる複数種類の印刷方法の中からユーザにより選択された印刷方法に対応する印刷手順を表示可能なように構成された表示画面部と、
前記表示画面部に表示される前記異なる複数種類の印刷方法の中から手順を知りたい印刷方法を選択するための選択ボタンとをさらに備え、
前記表示画面部は、電源投入があった際に、前記異なる複数種類の印刷方法を所定の時間間隔で順番に表示するように構成され、
前記表示画面部は、前記異なる複数種類の印刷方法の中からユーザにより選択された印刷方法に対応する印刷手順をガイドする複数の操作ガイド画面を表示可能なように構成されている、画像形成装置。
【請求項２】
画像データを用紙に印刷する印画部と、
前記画像データを前記印画部により印刷する以前に、異なる複数種類の印刷方法を自発的に表示するとともに、前記異なる複数種類の印刷方法の中からユーザにより選択された印刷方法に対応する印刷手順を表示可能なように構成された表示画面部とを備えた、画像形成装置。
【請求項３】
前記表示画面部は、電源投入があった際に、前記異なる複数種類の印刷方法を所定の時間間隔で順番に表示するように構成されている、請求項２に記載の画像形成装置。
【請求項４】
前記表示画面部は、前記異なる複数種類の印刷方法の中からユーザにより選択された印刷方法に対応する印刷手順をガイドする複数の操作ガイド画面を表示可能なように構成されている、請求項２または３に記載の画像形成装置。
【請求項５】
前記表示画面部に表示される前記異なる複数種類の操作方法の中から手順を知りたい印刷方法を選択するための選択ボタンをさらに備える、請求項２〜４のいずれか１項に記載の画像形成装置。
【発明の詳細な説明】
【技術分野】
【０００１】
この発明は、画像形成装置に関する。
【背景技術】
【０００２】
従来、ヘルプ機能を備えた画像形成装置が知られている（たとえば、特許文献１参照）。
【０００３】
上記特許文献１には、画像形成装置としての機能を備えた装置であるＭＦＰ（マルチファンクション装置）とヘルプサーバとがＬＡＮ（Ｌｏｃａｌ  Ａｒｅａ  Ｎｅｔｗｏｒｋ）などのネットワークによって接続され、ＭＦＰとヘルプサーバとがゲートウェイ経由で繋がっている画像形成装置ヘルプシステムが開示されている。この特許文献１に記載の画像形成装置ヘルプシステムでは、ＭＦＰの表示・入力装置部（表示画面部）にヘルプの種類を選択指定するヘルプ指定画面が表示されて、まず、テキストによる表示かまたはマルチメディア（動画）による表示かを選択して指定した後に、ヘルプの対象となる情報（知りたい内容）を指定する。そして、ガイダンス表示を要求するタッチボタンがタッチ操作されると、ＭＦＰの情報記憶部またはヘルプサーバからヘルプデータとともに読み出されたガイダンスプログラムが実行されて、例えば動くオブジェクト表示やボタン類の点滅表示灯を使用して、実際の操作方法をガイダンスするように構成されている。
【０００４】
また、従来では、表示画面部と操作部とを備えた画像形成装置も知られている（たとえば、特許文献２および３参照）。
【０００５】
上記特許文献２には、ＬＣＤ（表示画面部）と操作部とを備えたプリンタ（画像形成装置）が開示されている。この特許文献２に記載のプリンタ（画像形成装置）では、ＬＣＤ（表示画面部）に表示されたプリンタの種々の設定を行うためのメニューが操作部によって操作することが可能なように構成されている。
【０００６】
また、上記特許文献３には、ネットワーク接続インターフェースと接続手段とを備えた印字装置（画像形成装置）が開示されている。この特許文献３に記載の印字装置（画像形成装置）では、印字装置に操作部と表示部とを備えており、表示部にはメモリカードの画像または印字装置の設定状態などの情報が表示されるとともに、操作部により印字装置を操作することが可能なように構成されている。
【０００７】
【特許文献１】特開２００４−２５２５１０号公報
【特許文献２】特開２００６−０４２１６６号公報
【特許文献３】特開２００４−１７２８４２号公報
【発明の開示】
【発明が解決しようとする課題】
【０００８】
しかしながら、上記特許文献１に記載の画像形成装置ヘルプシステムでは、利用者がＭＦＰの表示・入力装置部（表示画面部）にヘルプの種類を選択指定するヘルプ指定画面が表示されて、まず、テキストによる表示かまたはマルチメディアによる表示かを選択して指定した後に、ヘルプの対象となる情報（知りたい内容）を指定して、ガイダンス表示を要求するタッチボタンを押すことによって初めて、ＭＦＰの情報記憶部またはヘルプサーバからヘルプデータとともに読み出されたガイダンスプログラムが実行される。このため、画像形成装置の操作方法に慣れていない初心者にとっては、たとえば印刷方法などの知りたい操作方法および手順を表示させるまでの操作が煩雑であるという問題点がある。
【０００９】
また、上記特許文献２に記載のプリンタ（画像形成装置）では、表示画面部に表示されるプリンタの種々の設定を行うためのメニューを操作部によって操作することが可能なように構成されている一方、プリンタの操作方法に慣れていない初心者にとっては、たとえば印刷方法などの知りたい操作方法および手順を表示させるまでの操作が煩雑であるという問題点がある。
【００１０】
また、上記特許文献３に記載の印字装置（画像形成装置）および画像データ記憶装置では、表示部に表示される印字装置の設定状態を操作部によって操作することが可能なように構成されている一方、印字装置の操作方法に慣れていない初心者にとっては、たとえば印刷方法などの知りたい操作方法および手順を表示させるまでの操作が煩雑であるという問題点がある。
【００１１】
この発明は、上記のような課題を解決するためになされたものであり、この発明の１つの目的は、煩雑な操作を行うことなく印刷方法および印刷手順を知ることが可能な画像形成装置を提供することである。
【課題を解決するための手段および発明の効果】
【００１２】
この発明の第１の局面による画像形成装置は、画像データを用紙に印刷する印画部を備えた画像形成装置において、画像データを印画部により印刷する以前に、異なる複数種類の印刷方法を自発的に表示するとともに、異なる複数種類の印刷方法の中からユーザにより選択された印刷方法に対応する印刷手順を表示可能なように構成された表示画面部と、表示画面部に表示される異なる複数種類の印刷方法の中から手順を知りたい印刷方法を選択するための選択ボタンとをさらに備え、表示画面部は、電源投入があった際に、異なる複数種類の印刷方法を所定の時間間隔で順番に表示するように構成され、表示画面部は、異なる複数種類の印刷方法の中からユーザにより選択された印刷方法に対応する印刷手順をガイドする複数の操作ガイド画面を表示可能なように構成されている。
【００１３】
この第１の局面による画像形成装置では、上記のように、画像データを印画部により印刷する以前に、異なる複数種類の印刷方法を自発的に表示することによって、ユーザは印刷する以前にボタン操作を行うことなく印刷方法や印刷方法の種類を知ることができるので、煩雑な操作を行うことなく印刷方法や印刷方法の種類を知ることができる。また、異なる複数種類の印刷方法の中から、ユーザにより選択された印刷方法に対応する印刷手順を表示可能なように構成された表示画面部を備えることによって、ユーザは自発的に表示された複数種類の印刷方法の中から１つを選択ボタンなどにより選択するだけで、ユーザが知りたい印刷方法に対応する印刷手順が表示画面部に表示されるので、ユーザは知りたい印刷方法および手順を煩雑な操作を行うことなく容易に知ることができる。
【００１４】
また、第１の局面による画像形成装置では、表示画面部は、電源投入があった際に、異なる複数種類の印刷方法を所定の時間間隔で順番に表示するように構成されることによって、電源投入された際に表示画面部に所定の時間間隔で複数種類の印刷方法が表示されるので、容易に、ユーザはボタン操作を行うことなく複数種類の印刷方法を理解することができる。また、表示画面部は、異なる複数種類の印刷方法の中から、ユーザにより選択された印刷方法の手順をガイドする複数の操作ガイド画面を表示可能なように構成されることによって、ユーザが選択した操作ガイド画面が複数表示されるので、ユーザは煩雑な操作を行うことなく容易に印刷方法の手順を知ることができる。また、表示画面部に表示される異なる複数種類の印刷方法の中から、手順を知りたい印刷方法を選択するための選択ボタンを備えることによって、手順を知りたい印刷方法を選択ボタンにより選択することができるので、ユーザは表示画面部に表示させたい印刷方法の手順を容易に表示させることができる。
【００１５】
この発明の第２の局面による画像形成装置は、画像データを用紙に印刷する印画部と、画像データを印画部により印刷する以前に、異なる複数種類の印刷方法を自発的に表示するとともに、異なる複数種類の印刷方法の中からユーザにより選択された印刷方法に対応する印刷手順を表示可能なように構成された表示画面部とを備えている。
【００１６】
この第２の局面による画像形成装置では、上記のように、画像データを印画部により印刷する以前に、異なる複数種類の印刷方法を自発的に表示することによって、ユーザは印刷する以前にボタン操作を行うことなく印刷方法や印刷方法の種類を知ることができるので、煩雑な操作を行うことなく印刷方法や印刷方法の種類を知ることができる。また、異なる複数種類の印刷方法の中から、ユーザにより選択された印刷方法に対応する印刷手順を表示可能なように構成された表示画面部を備えることによって、ユーザは自発的に表示された複数種類の印刷方法の中から１つを選択ボタンなどにより選択するだけで、ユーザが知りたい印刷方法に対応する印刷手順が表示画面部に表示されるので、ユーザは知りたい印刷方法および手順を煩雑な操作を行うことなく容易に知ることができる。
【００１７】
この第２の局面による画像形成装置において、好ましくは、表示画面部は、電源投入があった際に、異なる複数種類の印刷方法を所定の時間間隔で順番に表示するように構成される。このように構成すれば、電源投入された際に表示画面部に所定の時間間隔で複数種類の印刷方法が表示されるので、容易に、ユーザはボタン操作を行うことなく複数種類の印刷方法を理解することができる。
【００１８】
この第２の局面による画像形成装置において、好ましくは、表示画面部は、異なる複数種類の印刷方法の中から、ユーザにより選択された印刷方法の手順をガイドする複数の操作ガイド画面を表示可能なように構成される。このように構成すれば、ユーザが選択した操作ガイド画面が順番に表示されるので、ユーザは煩雑な操作を行うことなく容易に印刷方法の手順を知ることができる。
【００１９】
この第２の局面による画像形成装置において、好ましくは、表示画面部に表示される異なる複数種類の印刷方法の中から、手順を知りたい印刷方法を選択するための選択ボタンを備える。このように構成すれば、手順を知りたい印刷方法を選択ボタンにより選択することができるので、ユーザは表示画面部に表示させたい印刷方法の手順を容易に表示させることができる。
【発明を実施するための最良の形態】
【００２０】
以下本発明を具体化した実施形態を図面に基づいて説明する。
【００２１】
（第１実施形態）
図１は、本発明の第１実施形態によるプリンタの全体構成を示す斜視図である。図２は、本発明の第１実施形態によるプリンタの画面表示部および選択ボタンの正面拡大図である。図３は、本発明の第１実施形態によるプリンタの構成を示すブロック図である。まず、図１〜図３を参照して、本発明の第１実施形態によるプリンタの構造を説明する。なお、第１実施形態では、画像形成装置の一例であるプリンタに本発明を適用した場合について説明する。
【００２２】
本発明の第１実施形態によるプリンタ１０は、図１に示すように、給紙カートリッジ５０を着脱可能に装着するための用紙供給口１１と、上面部に設けられた電源ボタン１２と、表示画面部１３と、選択ボタン１４とを含んでいる。また、選択ボタン１４は、図１および図２に示すように、方向ボタン１４ａと、決定ボタン１４ｂとによって構成されている。
【００２３】
ここで、第１実施形態では、プリンタ１０の表示画面部１３は、プリンタ１０の選択ボタン１４を操作することなく、電源投入時に、複数種類（本実施形態では３種類）の異なる印刷方法が所定の時間間隔で順番に表示されるように構成されている。すなわち、第１実施形態によるプリンタ１０では、画像データを後述する印字ヘッド１８により印刷する以前の電源投入時に後述する３種類の印刷方法を選択ボタン１４の操作によらず、自発的に表示するように構成されている。
【００２４】
また、プリンタ１０は、図１および図３に示すように、ＵＳＢケーブル接続部１５ａを有するＵＳＢＩ／Ｆ部１５と、カメラケーブル接続部１６ａを有するカメラＩ／Ｆ部１６と、メモリカード挿入孔１７ａを有するメモリカードＩ／Ｆ部１７とを備えている。また、図３に示すように、プリンタ１０の内部には、印字ヘッド１８と、電源部１９と、制御回路部２０とが設けられている。
【００２５】
また、図３に示すように、プリンタ１０の制御回路部２０は、印刷動作全体を制御するための制御部２０ａと、画像処理部２０ｂと、制御プログラムが書き込まれたフラッシュメモリ部２０ｃと、メモリカード内のデータの伝送を行うメモリカードコントローラ２０ｄと、ヘッドコントローラ２０ｅとによって構成されている。また、ヘッドコントローラ２０ｅは、印刷時にプリンタ１０の印字ヘッド１８の発熱体（図示せず）に電圧パルスを印加することによって、発熱体の温度を制御する機能を有している。
【００２６】
図４は、図１に示した本発明の第１実施形態によるプリンタの表示画面部における操作ガイドフローを説明するためのフローチャートである。また、図５〜図１３は、図１に示した本発明の第１実施形態によるプリンタの表示画面部の状態を説明するための図である。次に、図２〜図１３を参照して、本発明の第１実施形態によるプリンタの表示画面部における操作ガイドフローについて説明する。
【００２７】
第１実施形態では、図４に示すように、ステップＳ１において、ユーザにより電源ボタン１２が押されることにより、電源が投入されたか否かが判断され、電源が投入されるまでこの判断が繰り返される。そして、電源が投入されると、ステップＳ２において、プリンタ１０のフラッシュメモリ部２０ｃ（図３参照）に記憶された複数種類（本実施形態では３種類）の印刷方法を説明する情報を含む画面を、プリンタ１０の表示画面部１３に数秒間隔で表示する。つまり、第１実施形態では、電源の投入に応答して３種類の印刷方法を説明する画面が数秒間隔で自動的（自発的）に表示される。具体的には、図５に示すような、カメラ印刷画面３０と、図６に示すような、ＰＣ印刷画面３１と、図７に示すような、メモリカード印刷画面３２とを表示画面部１３に数秒間隔で繰り返し表示する。これにより、ユーザは選択ボタン１４などを操作することなくどのような印刷方法があるかを知ることが可能になる。
【００２８】
そして、３種類の印刷方法を説明する画面が繰り返し表示されている状態において、ステップＳ３において、ユーザが知りたい印刷説明に対応する印刷説明画面が表示されたときにユーザによりプリンタ１０の決定ボタン１４ｂ（図２参照）が押下されることにより印刷方法の選択が行われたか否かが判断される。ステップＳ３において、印刷方法の選択が行われていないと判断された場合には、印刷方法が選択されるまでステップＳ２の表示およびステップＳ３の判断が繰り返される。ステップＳ３において、印刷方法が選択されたと判断された場合には、ステップＳ４において、数秒間隔での複数種類の印刷説明画面の表示が停止されるとともに、表示画面部１３には、選択された印刷説明画面が表示される。そして、表示画面部１３に表示されている選択された印刷説明画面に対応する操作ガイドが開始される。
【００２９】
そして、ステップＳ５において、ユーザによりプリンタ１０の選択ボタン１４の方向ボタン１４ａ（図２参照）の押下により次の画面が選択されたか否かが判断され、次の画面が選択されるまでこの判断が繰り返される。そして、ステップＳ５において、次の画面が選択されたと判断された場合には、ステップＳ６において、操作ガイドの順番に沿って次の画面が表示される。たとえば、ステップＳ３において、ユーザが、図５に示したカメラ印刷画面３０を選択している場合には、ステップＳ６において、表示画面部１３には、図８に示すように、カメラ印刷ガイド画面３０ａが表示され、「カメラとプリンタを接続するケーブルが必要です」という表示がなされるとともに、カメラケーブル表示領域３０ｂが点滅される。そして、ステップＳ７において、操作ガイドの最終画面か否かが判断され、最終画面でない場合は、ステップＳ５およびステップＳ６の処理が繰り返される。カメラ印刷の場合には、カメラ印刷画面３０ａは最終画面ではないので、ステップＳ５に戻り、ユーザが再び選択ボタン１４の方向ボタン１４ａを押下することにより次の画面を選択すると、ステップＳ５により次の画面が選択されたと判断されてステップＳ６において、図９に示すように、カメラ印刷ガイド画面３０ｃが表示される。このカメラ印刷ガイド画面３０ｃにおいては、カメラケーブル接続部表示領域３０ｄが点滅表示される。このカメラ印刷ガイド画面３０ｃは、操作ガイドの最終画面であるので、ステップＳ７により最終画面であると判断され、ステップＳ８で、一定時間後に、図１０に示すような、ガイド終了画面３３を一定時間表示した後、操作ガイドを終了する。
【００３０】
また、たとえば、ステップＳ３において、図６に示したＰＣ印刷画面３１を選択している場合には、ステップＳ６において、表示画面部１３には、図１１に示すように、ＰＣ印刷ガイド画面３１ａが表示され、「ＰＣとプリンタを接続するケーブルが必要です」という表示がなされるとともに、ＵＳＢケーブル表示領域３１ｂが点滅表示される。そして、ステップＳ７において、操作ガイドの最終画面か否かが判断され、最終画面でない場合は、ステップＳ５およびステップＳ６の処理が繰り返される。ＰＣ印刷の場合には、ＰＣ印刷画面３１ａは最終画面ではないので、ステップＳ５に戻り、ユーザが再び方向ボタン１４ａを押下することにより次の画面を選択すると、ステップＳ５により次の画面が選択されたと判断されてステップＳ６において、図１２に示すように、ＰＣ印刷ガイド画面３１ｃが表示される。このＰＣ印刷ガイド画面３１ｃにおいて、ＵＳＢケーブル接続部表示領域３１ｄが点滅表示される。このＰＣ印刷ガイド画面３１ｃは、操作ガイドの最終画面であるので、ステップＳ７により最終画面であると判断され、ステップＳ８で、一定時間後に、図１０に示すような、ガイド終了画面３３を一定時間表示した後、操作ガイドを終了する。
【００３１】
また、たとえば、ステップＳ３において、図７に示したメモリカード印刷画面３２を選択している場合には、ステップＳ６において、表示画面部１３には、図１３に示すように、メモリカード印刷ガイド画面３２ａが表示され、「メモリカードを挿入してください」という表示がなされるとともに、カード挿入孔表示領域３２ｂが点滅表示される。そして、ステップＳ７において、操作ガイドの最終画面か否かが判断され、最終画面でない場合は、ステップＳ５およびステップＳ６の処理が繰り返される。メモリカード印刷の場合には、メモリカード印刷画面３２ａが最終画面であるので、ステップＳ７により最終画面であると判断され、ステップＳ８で、一定時間後に、図１０に示すような、ガイド終了画面３３を一定時間表示した後、操作ガイドを終了する。
【００３２】
第１実施形態では、上記のように、電源投入があった際に、３種類の印刷方法を自発的に、所定の時間間隔で順番に表示するように構成することによって、ユーザは印刷する以前にボタン操作を行うことなく３種類の印刷方法を知ることができるので、煩雑な操作を行うことなく、容易に３種類の印刷方法を知ることができる。また、３種類の印刷方法の中から、ユーザにより選択された印刷方法に対応する印刷手順を表示可能なように構成された表示画面部１３を備えるように構成することによって、ユーザは自発的に表示された３種類の印刷方法の中から１つを選択ボタン１４ａにより選択するだけで、ユーザが知りたい印刷方法に対応する印刷手順が表示画面部１３に表示されるので、ユーザは知りたい印刷方法および手順を煩雑な操作を行うことなく容易に知ることができる。
【００３３】
また、第１実施形態では、上記のように、表示画面部１３に表示される３種類の印刷方法の中から、手順を知りたい印刷方法を選択するための選択ボタン１４（決定ボタン１４ｂ）を備えるように構成することによって、手順を知りたい印刷方法を選択ボタン１４により選択することができるので、ユーザは表示画面部１３に表示させたい印刷方法の手順を容易に表示させることができる。
【００３４】
（第２実施形態）
図１４は、本発明の第２実施形態によるプリンタの表示画面部における操作ガイドフローを説明するためのフローチャートである。また、図１５および図１６は、本発明の第２実施形態によるプリンタの表示画面部の状態を説明するための図である。図１、図１０および図１４〜図１６を参照して、本発明の第２実施形態によるプリンタの表示画面部における操作ガイドフローおよびその操作ガイドに沿って印刷を行う場合の動作について説明する。なお、この第２実施形態における構造は、上記第１実施形態と同様であるのでその説明を省略する。
【００３５】
まず、電源のオン状態において、プリンタ１０の表示画面部１３に、図１５に示すような、カメラ印刷画面選択部３４ａと、ＰＣ印刷画面選択部３４ｂと、メモリカード印刷画面選択部３４ｃとによって構成されているガイドメニュー画面３４が表示されている。この場合にも、ユーザは、上記第１実施形態と同様、選択ボタン１４などを操作することなく、どのような印刷方法があるかを知ることが可能になる。そして、この状態で、図１４に示すステップＳ１１において、表示画面部１３のガイドメニュー画面３４からユーザによって３種類の印刷説明のうちのいずれかが選択されたか否かが判断される。この場合、ユーザは、選択ボタン１４の方向ボタン１４ａにより選択したい印刷方法を指定した後、決定ボタン１４ｂを押すことにより、容易に印刷方法の選択を行うことが可能である。これにより、ユーザが行いたい印刷方法に対する操作ガイドが表示される。すなわち、３種類の印刷説明のうち、いずれかの印刷説明がユーザにより選択された場合には、ステップＳ１１において印刷説明が選択されたと判断されて、ステップＳ４において、選択された印刷説明に対応する印刷説明画面が表示される。なお、ユーザにより印刷説明の選択が行われない場合には、ステップＳ１１の判断が繰り返される。
【００３６】
上記ステップＳ４以降のステップＳ５〜ステップＳ８の処理は第１実施形態と同様である。すなわち、ステップＳ５において、ユーザによるプリンタ１０の方向ボタン１４ａ（図１参照）の押下により次の画面が選択されたか否かが判断され、次の画面が選択されるまでこの判断が繰り返される。そして、次の画面が選択されたと判断された場合には、ステップＳ６において、操作ガイドの順番に沿って次の画面が表示される。そして、ステップＳ７において、操作ガイドの最終画面か否かが判断され、最終画面でない場合は、ステップＳ５およびステップＳ６の処理が繰り返される。また、操作ガイド最終画面であると判断された場合は、ステップＳ８において、一定時間が経過した後に、図１０に示すように、ガイド終了画面３３が表示されて操作ガイドが終了する。
【００３７】
次に、印刷説明画面に従ってプリンタ１０を使用する場合の動作方法について説明する。
【００３８】
まず、電子スチルカメラに保存されている画像データを直接プリンタ１０によって印刷する場合の動作方法について説明する。
【００３９】
まず、上記したプリンタ１０の表示画面部１３に表示されるカメラ印刷説明に沿って、プリンタ１０のカメラケーブル接続部１６ａ（図１参照）と、電子スチルカメラのプリンタＩ／Ｆ部（図示せず）とをカメラケーブルを用いて接続する。そして、カメラケーブルの接続完了とともに電子スチルカメラの表示部に表示される指示に従って電子スチルカメラを操作することによって印刷を開始させる。
【００４０】
次に、ＰＣに保存されている画像データをプリンタ１０によって印刷する場合の動作制御について説明する。
【００４１】
まず、上記したプリンタ１０の表示画面部１３に表示されるＰＣ印刷説明に沿って、プリンタ１０のＵＳＢケーブル接続部１５ａ（図１参照）と、ＰＣのＵＳＢＩ／Ｆ部（図示せず）とをＵＳＢケーブルを用いて接続する。そして、ＵＳＢケーブルの接続完了とともにＰＣのモニタには印刷画像の一覧が表示され、印刷したい画像をモニタ上で選択する。その後、モニタに印刷設定画面が表示され、枚数、用紙サイズなどをＰＣにより設定して印刷を行う。
【００４２】
次に、メモリカードに保存されている画像データを直接プリンタ１０によって印刷する場合の動作制御について説明する。
【００４３】
まず、上記したプリンタ１０の表示画面部１３に表示されるメモリカード印刷説明に沿って、プリンタ１０のメモリカード挿入孔１７ａ（図１参照）にメモリカードを挿入する。そして、メモリカード挿入完了とともに、プリンタ１０の表示画面部１３には、図１６に示すように、画像選択画面３５が表示されて、印刷する画像を選択ボタン１４の方向ボタン１４ａおよび決定ボタン１４ｂを用いて選択することによって印刷が開始される。
【００４４】
第２実施形態では、上記のように、電源のオン状態で、印刷する以前から３種類の印刷方法が選択可能に表示されるガイドメニュー画面３４を、プリンタ１０の表示画面部１３に自発的に表示するように構成することによって、ユーザは印刷する以前にボタン操作を行うことなく３種類の印刷方法を知ることができる。また、ユーザが行いたい印刷の印刷方法をガイドメニュー画面３４から選択して表示することができる。したがって、ユーザは煩雑な操作を行うことなく、容易に３種類の印刷方法を知ることができる。また、第２実施形態のその他の効果は、第１実施形態と同様である。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記第１および第２実施形態では、プリンタ１０の表示画面部１３において、印刷方法の説明を表示させる例を示したが、本発明はこれに限らず、印刷方法の説明の表示とともに、音声による説明を加えてもよい。
【００４７】
また、上記第１および第２実施形態では、印刷方法の説明画面において、ユーザがプリンタ１０の方向ボタン１４ａを押下することによって次の説明画面に移動する例を示したが、本発明はこれに限らず、一定時間の経過とともに次の説明画面に移動してもよい。
【００４８】
また、上記第１実施形態では、電源投入時に印刷に関する説明画面を数秒間隔で順番に表示するとともに、印刷に関する説明の選択があるまで、印刷に関する説明を表示する例を示したが、本発明はこれに限らず、印刷に関する説明の選択が一定時間ない場合には、印刷に関する説明の表示を終了するようにしてもよい。
【図面の簡単な説明】
【００４９】
【図１】本発明の第１および第２実施形態によるプリンタの全体構成を示した斜視図である。
【図２】本発明の第１実施形態によるプリンタの表示画面部および選択ボタンの正面拡大図である。
【図３】本発明の第１実施形態によるプリンタの構成を示すブロック図である。
【図４】本発明の第１実施形態によるプリンタの表示画面部における動作制御を説明するためのフローチャートである。
【図５】本発明の第１実施形態によるプリンタの表示画面部に表示されるカメラ印刷画面を示した図である。
【図６】本発明の第１実施形態によるプリンタの表示画面部に表示されるＰＣ印刷画面を示した図である。
【図７】本発明の第１実施形態によるプリンタの表示画面部に表示されるメモリカード印刷画面を示した図である。
【図８】本発明の第１実施形態によるプリンタの表示画面部に表示されるカメラ印刷ガイド画面を示した図である。
【図９】本発明の第１実施形態によるプリンタの表示画面部に表示されるカメラ印刷ガイド画面を示した図である。
【図１０】本発明の第１および第２実施形態によるプリンタの表示画面部に表示されるガイド終了画面を示した図である。
【図１１】本発明の第１実施形態によるプリンタの表示画面部に表示されるＰＣ印刷ガイド画面を示した図である。
【図１２】本発明の第１実施形態によるプリンタの表示画面部に表示されるＰＣ印刷ガイド画面を示した図である。
【図１３】本発明の第１実施形態によるプリンタの表示画面部に表示されるメモリカード印刷ガイド画面を示した図である。
【図１４】本発明の第２実施形態によるプリンタの表示画面部における操作ガイドフローを説明するためのフローチャートである。
【図１５】本発明の第２実施形態によるプリンタの表示画面部に表示させる、印刷方法の説明画面を選択および決定するためのガイドメニュー画面を示した図である。
【図１６】本発明の第２実施形態によるプリンタの表示画面部に表示される、メモリカードに保存されている印刷画像の選択および決定を行う画像選択画面を示した図である。
【符号の説明】
【００５０】
１０      プリンタ（画像形成装置）
１３      表示画面部
１４      選択ボタン
１４ａ    方向ボタン（選択ボタン）
１４ｂ    決定ボタン（選択ボタン）
１８      印字ヘッド（印画部）
【図１】
2008105331.tif 000003
【図２】
2008105331.tif 000004
【図３】
2008105331.tif 000005
【図４】
2008105331.tif 000006
【図５】
2008105331.tif 000007
【図６】
2008105331.tif 000008
【図７】
2008105331.tif 000009
【図８】
2008105331.tif 000010
【図９】
2008105331.tif 000011
【図１０】
2008105331.tif 000012
【図１１】
2008105331.tif 000013
【図１２】
2008105331.tif 000014
【図１３】
2008105331.tif 000015
【図１４】
2008105331.tif 000016
【図１５】
2008105331.tif 000017
【図１６】
2008105331.tif 000018